(57)【要約】【課題】磁気吸着式ランプシェードフレームの組み合わせ構造を提供する。【解決手段】上部フレームと下部フレームを有するフレーム装置と、光よけを有する光よけ装置と、を備える。前記光よけ装置内面の上部位置、下部位置は、それぞれ連結バーを設け、前記連結バーの外側は、光よけに固設し、前記連結バーの内側は、前記上部フレームまたは前記下部フレームと磁気吸着していて、かつ前記連結バーと前記上部フレームまたは前記連結バーと前記下部フレームと対応して少なくとも一つの磁気部材と吸着連結する。これにより、灯具全体のフレーム部材を軽減でき、かつ組み合わせまたは操作が極めて便利、高速であり、光よけを損傷する恐れはない。光よけとフレームと組み合わせがより安定し、質感効果を向上し、灯具製品の付加価値を積極に向上できる。【選択図】図１
0003170140.tif 000002
【実用新案登録請求の範囲】
【請求項１】
フレーム装置と、光よけ装置とを備える、磁気吸着式ランプシェードフレームの組み合わせ構造であって、
前記フレーム装置は、上部フレームと、下部フレームと、を有し、
前記光よけ装置は、光よけを有し、
前記光よけ内面の上部位置と、下部位置には、それぞれ連結バーを設け、
前記連結バーの外側には光よけに固設し、
前記連結バーの内側は、前記上部フレームまたは前記下部フレームと着脱可能であり、
前記上部位置の連結バーが前記上部フレームと、前記下部位置の連結バーが前記下部フレームと対応して磁気吸着し得るように、連結バーとフレームの少なくとも一つが磁性部材であることを特徴とする、
磁気吸着式ランプシェードフレームの組み合わせ構造。
【請求項２】
前記上部フレーム、前記下部フレームは、金属部材または磁性部材であり、前記連結バーも合わせて、磁性部材または金属部材を形成することを特徴とする請求項１記載の磁気吸着式ランプシェードフレームの組み合わせ構造。
【請求項３】
前記フレーム装置は、少なくとも一つ連稈の台座を有し、前記連稈の台座は、複数の連稈を有する、前記連稈の外端は、それぞれ前記上部フレームまたは前記下部フレームに連結し、前記連稈の内端は、それぞれランプシェード結合台に連結し、前記ランプシェードの中央部は、貫通穴が設置されていることを特徴とする請求項１記載の磁気吸着式ランプシェードフレームの組み合わせ構造。
【請求項４】
前記連結バーは、可とう性の磁気部材であることを特徴とする請求項１記載の磁気吸着式ランプシェードフレームの組み合わせ構造。
【請求項５】
前記連結バーと前記上部フレーム、前記下部フレームは、シート体を形成することを特徴とする請求項１記載の磁気吸着式ランプシェードフレームの組み合わせ構造。
【請求項６】
前記連結バーは、Ｌ字型または逆Ｌ字型の磁性部材を形成し、Ｌ型または逆Ｌ字型の前記連結バーの内側は、磁気吸着面と当接面を形成することを特徴とする請求項１記載の磁気吸着式ランプシェードフレームの組み合わせ構造。
【請求項７】
前記連結バーは、内側が弧形である前記磁気嵌着溝を有することを特徴とする請求項１記載の磁気吸着式ランプシェードフレームの組み合わせ構造。
【請求項８】
前記連結バーは、内側が弧状体または半円形体を形成し、かつ前記連結バーの内側は、弧形の前記磁気嵌着溝を有することを特徴とする請求項１記載の磁気吸着式ランプシェードフレームの組み合わせ構造。
【請求項９】
前記連結バーは、内側が方形である前記磁気嵌着溝を有し、前記磁気嵌着溝の端部は、溝係止部を設けることを特徴とする請求項１記載の磁気吸着式ランプシェードフレームの組み合わせ構造。
【請求項１０】
前記光よけの上端部は、上向きに前記連結バーよりわずかな距離を突き出し、前記光よけの底端部は、下向きに前記連結バーよりわずかな距離を突き出すことを特徴とする請求項１記載の磁気吸着式ランプシェードフレームの組み合わせ構造。
【考案の詳細な説明】
【技術分野】
【０００１】
本考案は、ランプシェードの構造に関し、特に高速、便利かつ安定に組み立てることができ、より良い経済的メリットと良好な質感効果を備える、磁気吸着式ランプシェードフレームの組み合わせ構造に関する。
【背景技術】
【０００２】
灯具は、家庭で良く使用されている照明器具である。照明の変化を利用し、居住環境の雰囲気を作り出すことができるため、今日の住宅インテリアの一つの重要な要素を構成している。したがって、灯具は、その目的及び用途により、多様な風貌を形成することができる。
たとえば、天井灯、フロアスタンド、壁付灯、卓上灯など、通常は室内に設置していて、環境感覚を造成する灯具は、ランプシェードを備えた灯具が使用されている。ランプシェードを利用することで、灯の光線を和らげたり、明るさや光色などを調節したりすることができる。公知のランプシェードは、固定式と取外し可能な組合せタイプとがある。
【先行技術文献】
【特許文献】
【０００３】
【特許文献１】中華民国特許公報第Ｍ３５０６７２号公報
【考案の概要】
【考案が解決しようとする課題】
【０００４】
従来の固定式のランプシェードは、体積が大きく輸送と保管に不便であり、またこれらの費用が嵩むうえに、輸送過程で破損しやすい。そのため、近年では取外し可能なランプシェードが例えば公報第Ｍ３５０６７２号（特許文献１）に開示されている。このランプシェードは、ランプシェードのフレームと光除けが容易に取外しと組合せが可能なランプシェードを提供している。ランプシェードのフレームと光除けとの間は、面ファスナーによって連結されていて、ランプシェードと光除けをそれぞれに包装することができる。
この種のランプシェードの組み合わせ方は、包装と輸送コストを軽減できる。前記した公知のランプシェード構造は、取り外しと組み合わせの目的を達成できるものの、なお欠点が残る。欠点の一例として、前記上部フレームと下部フレームは面ファスナーによる接着のため十分な面積を要する。そのため、前記上部フレームと下部フレームの体積が大きくなって、重量も重くなり、部材コストが嵩み経済的効果を有しないため、明らかに理想な設計ではない。
さらに、公知のランプシェード構造を組み合わせるとき、面ファスナー同士が接触してくっついたりして、局所の位置合わせができず、滑らかさを欠けるなど、取り外してやり直さなければならない。組み合わせに便利とはいえない。さらに、面ファスナーの取り外し操作は相当な力ではぎ取らなければならず、不注意により光よけを破損する恐れがある。さらに、面ファスナーによって組み合わせたランプシェードは、質感、美観上はなお至らないところがあり、これらの欠点を併せて改善の必要がある。よって、前述した公知構造の製造、使用上の欠点を解決することが、当業者の課題となっている。
【０００５】
本考案は、公知技術のランプシェードの構造と使用面の欠点並びにその構造設計が理想でない事実に鑑みて成されたもので、構成部材数がより少なく、組立が便利で、より良好な質感効果を有する磁気吸着式ランプシェードフレームの組み合わせ構造を提供するものである。
【課題を解決するための手段】
【０００６】
本考案の目的は、灯具にフレームを有し、部材を軽減でき、かつ組立と取り外し操作が便利で、高速、光よけを破損する恐れがない、磁気吸着式ランプシェードフレームの組み合わせ構造を提供する。
【０００７】
本考案もう一つの目的は、より安定し、質感効果を向上し、灯具製品の付加価値を積極に向上できる、磁気吸着式ランプシェードフレームの組み合わせ構造を提供する。
【０００８】
本考案の前記目的を達成するために使用する技術手段は、上部フレーム、下部フレーム有するフレーム装置と、光除けを有し、前記光除け内面の上部位置と下部位置に、それぞれ連結バーを設置し、前記連結バーの外側は、前記光除けに固設していて、前記連結バーの内側は、前記上部フレームまたは下部フレームと磁気吸着により連結していて、かつ前記連結バーと前記上部フレームまたは前記連結バーと前記下部フレームの両者が対応して磁気吸着し、そのうち、少なくとも一つは、磁性部材である光よけ装置と、を備える。
【考案の効果】
【０００９】
本考案の磁気吸着式ランプシェードフレームの組み合わせ構造は、前述構成により、灯具全体に部材を軽減でき、かつ組み合わせまたは取り外しが極めて便利、高速であり、光よけを破損させる恐れはなく、さらに、光よけとフレームとの組み合わせがより安定し、質感効果を向上し、灯具製品の付加価値を積極に向上できる。
【図面の簡単な説明】
【００１０】
【図１】本考案に係る実施例１の立体概略図である。
【図２】本考案に係る実施例１の局所組み合わせ概略図である。
【図２ａ】図２のＢ部位の局所拡大概略図である。
【図３】本考案に係る実施例２の局所組み合わせ概略図である。
【図３ａ】図３のＡ部位の局所組み合わせ拡大概略図である。
【図３ｂ】図３のＢ部位の局所拡大概略図である。
【図４】本考案の実施例３の連結バーの態様図である。
【図５】本考案の実施例３による上部フレーム、下部フレームの概略図である。
【図６】本考案の実施例３の局所組み合わせ概略図である。
【図７】本考案の実施例４の局所組み合わせ断面視図である。
【図８】本考案の実施例５の局所組み合わせ断面視図である。
【考案を実施するための形態】
【００１１】
本考案の技術特徴及び達成する効果のさらなる理解及び認識を図るため、図面を参照しながら好ましい実施例について詳細に説明する。
【実施例１】
【００１２】
図１、２および図２ａに示した、本考案の磁気吸着式ランプシェードフレームの組み合わせ構造の実施例１を説明する。
本考案の磁気吸着式ランプシェードフレームの組み合わせ構造はフレーム装置１０と、光よけ装置３０と、を備える。フレーム装置１０は、上部フレーム１１、下部フレーム１２と、連稈の台座１３とを含む。そのうち、上部フレーム１１、下部フレー１２は、金属部材または磁気部材（すなわち、磁気ストリップなどの磁気吸着部材。）であっても良い。
連稈の台座１３は、上部フレーム１１に連結されている。他の実施例態様において、連稈の台座１３は、下部フレー１２に連結しても良い。連稈の台座１３は、３つの連稈１３１、１３２、１３３を有し、連稈１３１、１３２、１３３の外端は、それぞれ上部フレーム１１に連結していて、連稈１３１、１３２、１３３の内端は、それぞれランプシェード結合台１４に連結している。ランプシェード結合台１４の中央部は、貫通穴１４１を有する。前記連稈の数並びランプシェード結合台１４の構成態様は、特に制限しない。
【００１３】
光よけ装置３０は、光よけ３１を有し、光よけ３１の内面の上部位置、下部位置には、それぞれ連結バー３２、３３を設置する。連結バー３２、３３は、磁気部材（すなわち、磁気ストリップなどの磁気吸着部材。）または金属部材であっても良い。通常、連結バー３２、３３は磁性部材であり、かつ適切な弾性を持つものが好ましい。
連結バー３２、３３は、それぞれ連結面３２０、３３０を有する。連結面３２０、３３０は、光よけ３１の内面に固設していて、連結バー３２、３３が上部フレーム１１、下部フレーム１２の対向面（すなわち、連結面３２０、３３０に対向する反面）は、磁気吸着面３２１、３３１を有する。
さらに、光よけ３１によって、連結バー３２、３３を磁気吸着することにより、光よけ３１の上端部３１Ａがやや高く、連結バー３２より少しの距離を突き出していて、同じく、光よけ３１の底端部３１Ｂがやや低く、連結バー３３より少しの距離を突き出している。本考案の磁気吸着式ランプシェードフレームの組み合わせ構造を組み合わせるときは、上部フレーム１１、下部フレーム１２を連結バー３２、３３の連結バー３２、３３の磁気吸着面３２１、３３１上に連結して置き、光よけ３１を上部フレーム１１、下部フレーム１２に組み合わせして固定する。
本実施例において、上部フレーム１１、下部フレーム１２と連結バー３２、３３はシート体を形成していて、かつ上部フレーム１１、下部フレーム１２と連結バー３２、３３は対応して磁気吸着連結しており、上部フレーム１１、下部フレーム１２と、連結バー３２、３３は、磁性部材を使用するか、または上部フレーム１１、下部フレーム１２と連結バー３２、３３２つの対応するもののいずれかが磁気部材を使用する。
【実施例２】
【００１４】
図３、３ａと３ｂに示した本考案の磁気吸着式ランプシェードフレームの組み合わせ構造の実施例２を説明する。
本実施例は、実施例１の構造基礎上に変化を加えて設置するものである。異なる点は、光よけ３１の上部位置、下部位置の連結バー３４は、Ｌ字型（または逆Ｌ字型）の磁性部材（たとえば、磁気ストリップなど。）である。連結バー３４の外側は、連結面３４０を有し、Ｌ字型連結バー３４の内側は、磁気吸着面３４１と当接面３４２を形成する。前記磁気吸着面３４１、当接面３４２は、前記シート体の上部フレーム１１または下部フレーム１２を磁気吸着連結、当接して置き、光よけ３１を上部フレーム１１、下部フレーム１２に組み合わせして固定する。
【実施例３】
【００１５】
図４、５と６を参照して、本考案の磁気吸着式ランプシェードフレームの組み合わせ構造の実施例３を説明する。
本実施例は、実施例１の構造基礎上に変化を加えて設置するものである。異なる点は、光よけ３１の上部位置、下部位置の磁性部材（または金属部材）の連結バー３５が外側に連結面３５０を有し、内側に弧形の磁気嵌着溝３５１を有する。上部フレーム１１（下部フレームも同じ）は、丸棒型に対応する金属部材または磁性部材を設置する。前記磁気嵌着溝３５１は、丸棒型の上部フレーム１１（下部フレームも同じ）に嵌設、吸着し、光よけ３１を前記上部フレーム１１、下部フレーム１２に組み合わせして固定する。
【実施例４】
【００１６】
図７に示した、本考案の磁気吸着式ランプシェードフレームの組み合わせ構造の実施例４を説明する。
本実施例は、実施例３の構造基礎上に変化を加えて設置するものである。異なる点は、光よけ３１の上部位置、下部位置の磁性部材（または金属部材）である連結バー３６の片側は、弧状体（または半円形体）を設置し、外側の連結面３６０と内側の弧形の磁気嵌着溝３６１を有する。前記磁気嵌着溝３６１は、丸棒型の上部フレーム１１（下部フレームも同じ）に嵌設、吸着し、光よけ３１を前記上部フレーム１１、下部フレーム１２に組み合わせして固定する。
【実施例５】
【００１７】
引き続き、図８に示した、本考案の磁気吸着式ランプシェードフレームの組み合わせ構造の実施例５を説明する。
本実施例は、実施例３の構造基礎上に変化を加えて設置するものである。異なる点は、光よけ３１の上部位置、下部位置の磁性部材（または金属部材）である連結バー３６の外側は、連結面３７０を有し、内側は方形の磁気嵌着溝３７１を有する。前記磁気嵌着溝３７１の末端側は、溝係止部３７２を有し、前記上部フレーム１５（下部フレームも同じ）は、方形の棒に対応する金属部材または磁性部材を設置し、前記磁気嵌着溝３７１は、前記方形の棒の上部フレーム１５（または下部フレーム）に嵌設、吸着し、磁気嵌着溝３７１の内部に備える上部１５（または下部フレーム）にはめ込んでいて、かつ溝係止部３７２の係止を受け、抜け出すことを防止し、光よけ３１を前記上部フレーム１１、下部フレーム１２に組み合わせして固定する。
よって、前述した各実施例において、前記連結バー外側の連結面は、平面に設置することが好ましいである。さらに、連結バーの内側は、平面、弧形面、半円面またはその他形状を設置することができる。なお、前記磁気嵌着溝は、方形、弧形またはそのた形状の嵌着溝を設けることができる。なお、嵌着溝で構成する場合は、前記上部フレームと下部フレームは、前記磁気嵌着溝に対応して設置することができる。
【００１８】
前述とおり、本考案は実用新案特許の要件を満足しているため、法により実用新案特許を出願する。以上に説明した本考案の実施例は、本考案の好ましい実施例であり、本考案に何らの制限を加わるものではない。よって、本考案の実用新案登録請求範囲に掲げた形状、構造、特長および精神に基づいた変更と修飾は、本考案の範囲に含まれる。
【符号の説明】
【００１９】
１０                    フレーム装置
３０                    光よけ装置
１１                    上部フレーム
１２                    下部フレーム
１３                    連稈の台座
１３１、１３２、１３３  連稈
１４                    ランプシェード結合台
１４１                  貫通穴
３１                    光よけ
３２、３３              連結バー
３２０、３３０          連結面
３２１、３３１          磁気吸着面
３１Ａ                  上端部
３１Ｂ                  底端部
３４                    連結バー
３４０                  連結面
３４１                  磁気吸着面
３４２                  当接面
３５                    連結バー
３５０                  連結面
３５１                  磁気嵌着溝
３６                    連結バー
３６０                  連結面
３６１                  磁気嵌着溝
３７                    連結バー
３７０                  連結面
３７１                  磁気嵌着溝
３７２                  溝係止部
１５                    上部フレーム
【図１】
0003170140.tif 000003
【図２】
0003170140.tif 000004
【図２ａ】
0003170140.tif 000005
【図３】
0003170140.tif 000006
【図３ａ】
0003170140.tif 000007
【図３ｂ】
0003170140.tif 000008
【図４】
0003170140.tif 000009
【図５】
0003170140.tif 000010
【図６】
0003170140.tif 000011
【図７】
0003170140.tif 000012
【図８】
0003170140.tif 000013